(57)【特許請求の範囲】
【請求項１】
洗面器、流し、手洗い器等の水槽底部に水槽底部下方から螺嵌される螺嵌部材で排水口金具を取り付け、その排水口金具下端にＬ型排水継手本体を接続し、駆動力を伝達するレリースワイヤをＬ型排水継手本体から挿通して排水栓機構の作動部に連結するＬ型排水継手において、螺嵌部材で水槽底部に取り付けられた前記排水口金具の下端に、内部に排水栓機構の作動部を支持すると共にその作動部にレリースワイヤを連結させた前記Ｌ型排水継手本体を回転させずに接続していることを特徴とするＬ型排水継手。
【請求項２】
前記レリースワイヤを前記Ｌ型排水継手本体内にその側方から挿通していることを特徴とする請求項１記載のＬ型排水継手。
【請求項３】
前記Ｌ型排水継手本体を回転させずに排水口金具の下端に接続する手段が袋ナットであることを特徴とする請求項１または２記載のＬ型排水継手。
【請求項４】
前記作動部がスラストロック機構を内蔵することを特徴とする請求項１〜３いずれか１項記載のＬ型排水継手。
【発明の詳細な説明】
【０００１】
【発明の属する技術分野】
本発明は、洗面器、流し、手洗い器等の水槽のＬ型排水継手、更に詳しくはその水槽の排水口金具に接続されて洗面器、流し、手洗い器等の水槽を支持するキャビネットの一面に沿わしめて設けられるトラップとの連絡始端部を構成するＬ型排水継手に関するものである。
【０００２】
【従来技術】
従来、洗面器、流し、手洗い器等からの排水は、ＳトラップやＰトラップと呼称される管トラップが主流であった。
このＳトラップやＰトラップは、前記水槽を支持するキャビネット空間の中央部を丁度縦断するように配管される。
そのため、キャビネット内の収容空間が分断され、大きな容積の物置き場として利用できない現実があった。
そこで、特開平１０−３３１２２７号公報開示のようにキャビネットの内面に沿わしめてトラップを設けた先行技術が開発された。
この先行技術は、従来のようにＳトラップやＰトラップがキャビネット内の収容空間を分断せず、キャビネット内を大きな容積の物置き場として利用できる。ところで、トラップへの配管経路には、水槽の底部に設けられた排水口金具と、その排水口金具とトラップへの案内管に接続されるＬ型排水継手とがあり、その排水口金具には、遠隔操作型の排水栓機構が支持され、その排水栓機構の作動部にレリースワイヤを連結して排水栓装置を構成している。
【０００３】
この排水栓装置は、詳しくは図５に示すように排水口金具１と、その排水口金具に螺嵌して排水口金具１を洗面器、流し、手洗い器等の水槽底部Ｂにワッシャー１３、パッキン３を介して水密状に挟持する締付ナット２と、排水口金具１の下端に袋ナット５で接続されるＬ型排水継手４と、排水口金具１中途部のブラケット部３１にビス４１止めされる排水栓機構Ａ’の作動部ａと、作動部ａに連結してＬ型排水継手４の下端部から下方に突設するガイド筒１４内のフランジ１６付きのガスケット６を挿通して外部に引出されるレリースワイヤＷと、前記ガイド筒１４の外螺子１４ａに螺嵌してフランジ１６を弾圧するシール用の蝶ナット７等を工場にて予め組付けた状態で施工現場に搬送されている。
そして、施工現場で洗面器、流し、手洗い器等の水槽底部に組付ける時には、まず、組付け状態（図５）から袋ナット５を排水口金具１から外し、蝶ナット７を外してレリースワイヤＷをフリーな状態にしてからＬ型排水継手４を下方に引き下げて排水口金具１下端とＬ型排水継手４との間に作業スペースＳを形成し（図６）、その作業スペースＳを利用してレリースワイヤ一端側Ｗ１の作動部ａに対する連結を人為的に解除した分解状態にしてから、排水口金具１の排水口ｂへの差込み、排水口金具１への締付ナット２の螺嵌、レリースワイヤ一端Ｗ１側の作動部ａへの連結、袋ナット５でのＬ型排水継手４の排水口金具１下端部への接続、蝶ナット７の締付等の作業を実施して水槽底部Ｂに組付けられ、最後にレリースワイヤ他端側Ｗ２の操作部（詳細には押し釦１８）８への連結と、Ｌ型排水継手４の横管部４’−２とトラップＴへの案内管Ｐの接続が行なわれる（図７、図８）。
このように袋ナット５や締付ナット２の取外し・締付以外に施工現場で繁雑な作業を遂行せねばならず、現場での組付作業が面倒を極め、組付時間も無駄に浪費してしまう。
その上、施工現場でいったん解かれたレリースワイヤ一端側と作動部との連結が、工場での組付作業者ではない現場施工者の手に委ねられる結果、レリースワイヤ一端側の作動部への連結（ネジ込み）が不完全で開閉が不能になったり、洗面器、流し、手洗い器等の制限されたキャビネット内の空間を使用して連結作業を遂行する結果、軸芯上に連結されずに誤って斜め状に連結されて、レリースワイヤ一端側や作動部が誤って壊される等の問題が惹起してしまう。
また、レリースワイヤＷが、Ｌ型排水継手４の下方空間を占有してしまう結果、キャビネットＣ内空間を有効に使用できなくなってしまう。
他の排水栓装置として今日、図９、図１０に示すタイプが提案されている。
この先行技術の排水栓装置は、軸心を挟んで下端の対称位置に凹部５１、５１を有する排水口金具１と、上半部の拡径管部６４先端に掛止用鍔部３４を形成し内面に内螺子５４を螺刻したＬ型排水継手４と、その内螺子５４に螺合して配置された排水栓機構Ａ’の作動部ａと、その作動部ａを支持するブラケットａ１の前記凹部５１、５１と対応する位置に突設した凸部ａ１’、ａ１’と、作動部ａに連結してＬ型排水継手４から外部に水密状に引出されるレリースワイヤＷから構成してある。
この排水栓装置を施工現場で洗面器、流し、手洗い器等の水槽底部Ｂに組付ける時には、いったんＬ型排水継手４を排水口金具１から外して排水口金具１を排水口ｂに差し込んだ後、排水口金具１下端の凹部５１、５１に、ブラケットａ１の凸部ａ１’が嵌まり合うレイアウトにしてからＬ型排水継手４の拡開状の縦管部４’−１を排水口金具１に螺嵌してワッシャー１３を介してパッキン３を締付け、レリースワイヤ他端側Ｗ２の操作部（詳細には押し釦１８）８への連結、Ｌ型排水継手４の横管部４’−２とトラップ（図示せず）への案内管Ｐの接続が行なわれる。
【０００４】
この先行技術では、排水栓装置を組付けるＬ型排水継手４の螺嵌時にＬ型排水継手４を回転させる構造であるから、Ｌ型排水継手４の横管部４’−２の向きをトラップＴへの案内管Ｐ方向に向かせるためには、必要以上に増締したり、締戻す結果、パッキン３の止水性が阻害され、長期に亘って所定のシール性を維持することができなくなる問題が惹起してしまうし、レリースワイヤＷが、Ｌ型排水継手４の下方空間を占有する点も依然として解決できないでいる。
【０００５】
【発明が解決しようとする課題】
本発明は上記従来事情に鑑みてなされたもので、その目的とする処は、工場で組み付けられた排水栓装置を排水口に対するシール性を損うことなく簡単に組付（取付）可能なＬ型排水継手を提供することにある。
他の目的とする処は、キャビネット内空間を物置きスペースとして広く利用するに最適なＬ型排水継手を提供することにある。
【０００６】
【課題を解決するための手段】
上記目的を解決するために講じた技術的手段として請求項１は、洗面器、流し、手洗い器等の水槽底部に水槽底部下方から螺嵌される螺嵌部材で排水口金具を取り付け、その排水口金具下端にＬ型排水継手本体を接続し、駆動力を伝達するレリースワイヤをＬ型排水継手本体から挿通して排水栓機構の作動部に連結するＬ型排水継手において、螺嵌部材で水槽底部に取り付けられた前記排水口金具の下端に、内部に排水栓機構の作動部を支持すると共にその作動部にレリースワイヤを連結させた前記Ｌ型排水継手本体を回転させずに接続していることを要旨とするものである。
ここで、前記作動部の支持方法は、Ｌ型排水継手本体にブラケットを一体もくしは一体的に設け、そのブラケットの軸心（Ｌ型排水継手本体の縦管の管芯）に設けた係合孔に作動部を上方から抜差し可能で且つ回転不能に支承する。作動部にブラケットを一体もしくは一体的に設け、そのブラケットをＬ型排水継手本体の内周面または外周面に、上方から抜差し可能で且つ回転不能に係止する等、種々な方法が提案される。
また、Ｌ型排水継手本体を回転させずに排水口金具に接続する手段としては、例えば袋ナットがその一種として提案できる。
また、レリースワイヤを前記Ｌ型排水継手本体内にその側方から挿通していると好ましいものである。
また、作動部の内部は、スラストロック機構を内蔵したり（前者）、栓軸の支軸を押動するインナーワイヤを進退可能に収容する構成になっている（後者）。後者の場合には、操作部側にスラストロック機構を内蔵してプッシュでロック・アンロックを交互に繰り返して排水栓を開閉したり、プッシュで排水栓を開栓し、プルで同栓を閉栓するようになっている。
【０００７】
前記技術的手段によれば、排水口金具、その排水口金具に螺嵌される締付ナット（螺嵌部材）、排水口金具の下端に接続される本発明Ｌ型排水継手、そのＬ型排水継手を回転させずに排水口金具に接続する手段、そのＬ型排水継手内に支持される排水栓機構の作動部、その作動部に一端側を連結し他端側を排水継手から外部に引出されたレリースワイヤ、その引出し部をシールするガスケット等を工場で組付けて、施工現場に搬入する。
そして、施工現場では、前記手段、締付ナット（螺嵌部材）のみを排水口金具から外し、その排水口金具を水槽の排水口に槽内から差入れた後、パッキンを弾圧するように締付ナットを螺嵌して同水槽底部に排水口金具を水密状に取付けた後、レリースワイヤが所定の引出し方向になるように本発明Ｌ型排水継手を所望角度周方向回動させた状態で前記手段を排水口金具に取付け、Ｌ型排水継手の横管部にトラップへの案内管を接続して、排水栓装置の組み付け作業が終了する。
【０００８】
【発明の実施の形態】
次に、本発明の実施の形態を図面に基づいて説明する。
図１〜図３は、本発明Ｌ型排水継手を使用した排水栓装置の第１の実施の形態を示し、図４は同第２の実施の形態を示している。符号Ａがその排水栓装置、Ｂは水槽底部である。まず、第１の実施の形態について説明する。この実施の形態では、Ｌ型排水継手４の本体４’を回転させずに接続する手段５として袋ナットを使用した場合を示している。
【０００９】
この排水栓装置Ａは、排水口金具１、その排水口金具１の下半部外周の外螺子１１にワッシャー１３、パッキン３を介して螺嵌する締付ナット（螺嵌部材）２、排水口金具１の下端に袋ナット５で接続されるＬ型排水継手４、そのＬ型排水継手４の上端部内に支持される排水栓機構Ａ’の作動部ａと、その作動部ａに一端側Ｗ１を連結してＬ型排水継手４から外部に引出されたレリースワイヤＷと、その引出し部分をシールするガスケット６及び蝶ナット７、レリースワイヤＷの他端側Ｗ２が連結される操作部（詳細には押し釦１８）８等から構成されている。
【００１０】
前記作動部ａは、内部にスラストロック機構（図示せず）を内蔵したケース９と、そのケースを抜き差し可能に係止するブラケット１９とからなっている。
このブラケット１９は、中心に前記ケース９を抜き差し可能に係止する係止筒１９ａと、その係止筒１９ａから放射状に延びる支持ブラケット片１９ｂ…と、その支持ブラケット片１９ｂ…端を連結した外輪１９ｃと、その外輪１９ｃに鍔状に突設した環状座部１９ｄと、その環状鍔部１９ｄから更に上方に延設され排水口金具１内周面に沿う案内筒１９ｅと、前記外輪１９ｃ下面に凹段部１９ｃ’を介して下方に垂設し同一円周上に等間隔をおいて係止孔１９ｆ’を開孔した係止用筒１９ｆとを一体に有する構造になっている。
【００１１】
前記スラストロック機構（図示せず）は、ケース９下端に連結されるレリースワイヤＷの他端側Ｗ２が連結される操作部（押し釦１８）８を押動する度にスプリング（図示せず）の弾撥力に抗してレリースワイヤＷ内部のインナーワイヤ（図示せず）が前進して内部の歯合体で支軸ａ１が上昇（ロック）と下降（ロック解除）を交互に繰り返す周知の構造のラチェット機構であり、その支軸ａ１で、上方から栓蓋１００ａ、振れ止め片１００ｂ、ヘアーキャッチャー１００ｅ、支軸カバー１００ｃを順に有する栓軸１００を支承して排水栓機構Ａ’を構成している。
【００１２】
前記振れ止め片１００ｂは、栓蓋１００ａ上昇、下降時、即ち排水口ｂ開閉時の栓軸１００の振れを防止するためのものであり、排水口金具１の内周面に摺接するように栓蓋１００ａ裏面から３方または４方突出に突出形成させてある。
【００１３】
支軸カバー１００ｃは、栓軸１００の下端に凹設形成され支軸ａ１の先端を位置決めする凹部１００ｄの下端から作動部ａにおける支軸ａ１の摺接部を上方から覆うように傘状に湾曲形成してなり、その摺接部からケース９内に水が出来るだけ浸入しないように配慮してある。
【００１４】
Ｌ排水継手４は、縦管部４’−１と、それに連設する横管部４’−２との一体成形品であるＬ型排水継手本体４’のその横管部４’−２に現場施工にてキャビネットＣの内面に沿わしめられるトラップＴへの案内管Ｐに接続されるもので、図示するように同本体４’の縦管部４’−１上端部を小径にして、前記作動部ａの凹段部１９ｃ’に対応するようにすると共に、その小径筒部４”−１に前記係止用筒１９ｆの係止孔１９ｆ’が係止する係止爪４”’−１を突設形成し、更にその縦管部４’−１の下端部にレリースワイヤＷが挿通するフランジ付き筒状のガスケット６を嵌挿するガイド筒１４を側方に向けて突設してなり、そのガイド筒１４に差入れられるガスケット６を挿通してレリースワイヤＷをその縦管部４’−１から側方に貫通状に引出し、蝶ナット７でガスケット６のフランジ１６を弾圧することによってレリースワイヤＷの引出し部をシールできるようになっている。
【００１５】
このＬ型排水継手４を使用した排水栓装置Ａは、図２に示すように排水口金具１に、パッキン３、ワッシャー１３を外嵌挿して締付ナット２を螺嵌し、作動部ａを上端部内に支承したＬ型排水継手４を、その案内筒１９ｅを排水口金具１の内周面に沿うようにガイドさせて袋ナット５で排水口金具１の下端に接続し、作動部ａに一端側Ｗ１を連結したレリースワイヤＷをＬ型排水継手４のガスケット６内を挿通して外部に引出し、蝶ナット７をガイド筒１４に螺嵌してガスケット６のフランジ１６を弾圧し、レリースワイヤ他端側Ｗ２を前記押し釦１８に連結して組付けた、排水口金具１内に栓軸１００をセットした状態で、施工現場に搬入される。
そして、施工現場では、袋ナット５、締付ナット２を順次、排水口金具１から外した後、排水口金具１を水槽に差し込んでからパッキン３を弾圧するようにワッシャー１３を介して締付ナット２を螺嵌して水槽底部Ｂに排水口金具１を水密状に取付け、レリースワイヤＷが所定の引出し方向に向くようにＬ型排水継手４をその案内筒１９ｅが排水口金具１の内周面に沿うよう差し込んで回動（周方向に回動）させ、その状態で環状座部１９ｄ上方に嵌着されるパッキン２４が排水口金具１の下端に弾接して挟持されるように袋ナット５を排水口金具１に螺嵌し締付けて水槽底部Ｂに組付け、レリースワイヤＷの他端側Ｗ２を、洗面器、流し、手洗い器等の水槽の上縁面等に取付られる押し釦１８に連結すると共に、Ｌ型排水継手４の横管部４’−２に前記案内管Ｐを接続して現場での施工作業の全てが終了する（図３、図１参照）。
【００１６】
次に、図４に示す第２の実施の形態について説明すると、この実施の形態は、前記作動部ａを支持する支持構造の変形例であり、Ｌ型排水継手４の上端部に前記環状座部１９ｄ、案内筒１９ｅを一体成形し、更に外輪１９ｃに載せ段部１９ｇを周設し、その載せ段部１９ｇに、前記作動部ａのケース９から一体に延設された放射状の支持ブラケット片１９ｂ…端を連結する連結輪１９ｈを回動不能に支持させる構成にしてある。
作用的には、前記する第１の実施の形態と同様であるため、具体的な説明は省略する。
【００１７】
【発明の効果】
本発明は以上のように構成したから、Ｌ型排水継手本体を回転させずに接続（排水口金具に接続）する手段（例えば袋ナット）、締付ナット（螺嵌部材）を排水口金具から各々外し、排水口金具に、締付ナットを螺嵌してパッキンを弾圧するように同排水口金具を水槽底部に取付けた後、レリースワイヤの引出し方向を所定の方向（平面視で操作部の取付部となる方向）に向かせた状態にしてから、Ｌ型排水継手本体を回転させずに接続する手段（例えば袋ナット）を介して排水口金具に取付けて、組付施工する。
従って、先行技術のように、工場で連結されているレリースワイヤ一端側を施工現場で取外して再度施工現場で現場作業者がネジ込むことによって、レリースワイヤ一端側の作動部への連結が不完全で作動不良を起したり、レリースワイヤ一端側が誤って斜め状に連結されて壊れてしまう等、製造メーカーで保障された品質を損なわず、しかも増締や締戻で排水口に対するシール性が阻害されることもない最適なＬ型排水継手を提供することができる。
しかも、このＬ型排水継手では、その側方からレリースが導入される結果、レリースがそのＬ型排水継手の下方に垂れ下がらないから、キャビネットの内面に沿わしめてトラップを設けた排水栓装置においてキャビネット内空間を最大限に広く利用する上での効果を阻害することがない。
その上、Ｌ型排水継手本体を回転させずに排水口金具に接続する手段（例えば袋ナット）、締付ナット（螺嵌部材）の取付・締付以外の面倒な作業、即ち蝶ナットを外してレリースワイヤをフリーな状態にしてからＬ型排水継手本体を下方に引き下げて排水口金具下端とそのＬ型排水継手本体との間に作業スペースを形成する。その作業スペースを利用して排水栓機構の作動部に対するレリースワイヤの連結を解除する。レリースワイヤを同作動部に再度連結する。蝶ナットを締付ける。等の諸作業を遂行する必要がなく、現場での組付施工も非常に簡単である。
【図面の簡単な説明】
【図１】第１の実施の形態のＬ型排水継手を使用した排水栓装置の水槽底部への組付状態を示し、（ａ）は、正面図で、一部切欠して示す、（ｂ）は（ｂ）−（ｂ）線拡大断面図。
【図２】同排水栓装置の工場から出荷した状態を示す正面図で、一部切欠して示す。
【図３】同排水栓装置の水槽への組付前の状態を示す分解図で、一部切欠して示す。
【図４】第２の実施の形態のＬ型排水継手を使用した排水栓装置の組付状態を示す部分拡大断面図。
【図５】従来の排水栓装置の工場から出荷した状態を示す正面図で、一部切欠して示す。
【図６】同排水栓装置において作動部からレリースワイヤ一端側を外す状態を示す分解図で、一部切欠して示す。
【図７】同排水栓装置の水槽への組付前の状態を示す分解図で、一部切欠して示す。
【図８】同排水栓装置の水槽底部への組付状態を示す正面図で一部切欠して示す。
【図９】他の従来例の排水栓装置の組付前の状態を示す分解図で、一部切欠して示す。
【図１０】同排水栓装置の組付状態を示す正面図で一部切欠して示す。
【符号の説明】
４：Ｌ型排水継手                Ａ：排水栓装置
Ｂ：水槽底部                    １：排水口金具
Ａ’：排水栓機構                  ａ：作動部
５：Ｌ型排水継手本体を回転させずに接続する手段（袋ナット）
２：締付ナット（螺嵌部材）      ３：パッキン
Ｗ：レリースワイヤ            Ｗ１：レリースワイヤ一端側
Ｗ２：レリースワイヤ他端側      ｂ：排水口
１００ｃ：支軸カバー                Ｐ：案内管
Ｓ：作業スペース                Ｔ：トラップ
Ｃ：キャビネット              ４’：本体（Ｌ型排水継手の本体）
【図１】
0003749827.tif 000002
【図２】
0003749827.tif 000003
【図３】
0003749827.tif 000004
【図４】
0003749827.tif 000005
【図５】
0003749827.tif 000006
【図６】
0003749827.tif 000007
【図７】
0003749827.tif 000008
【図８】
0003749827.tif 000009
【図９】
0003749827.tif 000010
【図１０】
0003749827.tif 000011